【事件の表示】
　特許第３１２７６５８号「毛髪化粧料」の請求項１、２に係る特許に対する特許異議の申立てについて、次のとおり決定する。
【結　論】
　訂正を認める。
　特許第３１２７６５８号の請求項１ないし２に係る特許を維持する。
【理　由】
１．手続の経緯
　特許第３１２７６５８号の請求項１及び２に係る発明についての出願は、平成５年３月１２日にされたものであり（特願平５−７８８７３号）、平成１２年１１月１０日にその特許の設定登録がなされ、その後ホーユー株式会社、林純、ライオン株式会社、及び千葉恭弘より請求項１及び２の特許について特許異議の申立てがなされ、取消理由が通知され、その指定期間内である平成１４年２月７日に訂正請求がなされ（その後、取り下げられた）、再度取消理由が通知され、その指定期間内である平成１５年１２月２２日に訂正請求がなされたものである。
　
２．訂正の適否についての判断
（１）訂正の内容
訂正事項ａ
　特許請求の範囲に「【請求項１】（A）ピロリドンカルボン酸、乳酸、プロリン、酸性アミノ酸よりなる群から選ばれる１種または２種以上および（B）力チオン性重合体の１種または２種以上を含有し、（A）：（B）の比率が１：１０〜１０：１（重量比）であり、（A）（B）の配合量の合計が０．１〜１０重量％であることを特徴とする毛髪化粧料。
【請求項２】（A）成分がピロリドンカルボン酸である請求項１記載の毛髪化粧料。」とあるのを、
「【請求項１】（A）ピロリドンカルボン酸、プロリンよりなる群から選ばれる１種または２種および（B）カチオン性重合体の１種または２種以上を含有し、（A）：（B）の比率が１：１０〜１０：１（重量比）であり、（A）（B）の配合量の合計が０．１〜１０重量％であることを特徴とする毛髪化粧料。
【請求項２】（A）成分がピロリドンカルボン酸である請求項１記載の毛髪化粧料。」と訂正する。
訂正事項ｂ
　明細書第２頁第７〜８行、同第２頁第１３〜１４行、同第２頁第１８〜１９行の記載「ピロリドンカルボン酸、乳酸、プロリン、酸性アミノ酸よりなる群から選ばれる１種または２種以上」を「ピロリドンカルボン酸、プロリンよりなる群から選ばれる１種または２種」と訂正する。
訂正事項ｃ
　明細書第２頁第２２〜２６行の記載「本発明に用いられる（A）成分はピロリドンカルボン酸、乳酸、プロリン、酸性アミノ酸であり、酸性アミノ酸としてはグルタミン酸、アスパラギン酸などが挙げられる。これらはいずれも公知の成分で商業的に入手できる。（A）成分の中では、特にピロリドンカルボン酸、プロリンが好ましい。」を「本発明に用いられる（A）成分はピロリドンカルボン酸、プロリンである。これらはいずれも公知の成分で商業的に入手できる。」と訂正する。
　
（２）訂正の目的の適否、新規事項の有無及び特許請求の範囲の拡張・変更の存否
ａ．訂正事項ａについて
　上記訂正事項ａについては、特許明細書の請求項１に（A）成分として記載されていた乳酸および酸性アミノ酸を削除し、（A）成分をピロリドンカルボン酸、プロリンよりなる群から選ばれる１種または２種に限定するものである。
　したがって、この訂正は、特許請求の範囲の減縮を目的とした明細書の訂正に該当するものであり、新規事項の追加に該当せず、また、実質上特許請求の範囲を拡張し、または変更するものではない。
ｂ．訂正事項ｂ及びｃについて
　上記訂正事項ｂ及びｃは、特許明細書の発明の詳細な説明の記載を上記訂正事項ａと整合するようにしたものであるから、明りょうでない記載の釈明を目的とする明細書の訂正に該当し、新規事項の追加に該当せず、また、実質上特許請求の範囲を拡張し、又は変更するものではない。
　
（３）むすび
　したがって、上記訂正は、特許法第１２０条の４第２項ただし書及び同条第３項で準用する第１２６条第２項及び第３項の規定に適合するので、当該訂正を認める。
　
３．特許異議の申立てについての判断
（１）申立ての理由の概要
　特許異議申立人ホーユー株式会社、林純、ライオン株式会社、及び千葉恭弘の申し立てた理由は概略以下のとおりである。
ａ．理由１
　本件請求項１に係る発明は、「Cosmetics＆Toiletries　Vol.１０３　March　l９８８」（ホーユー株式会社の甲第１号証：以下「刊行物１」という。）、特開平５−４３４２７号公報（林及びライオン株式会社の甲第１号証、千葉の甲第２号証：以下、「刊行物２」という。）、特開平２−１８０９１１号公報（林の甲第２号証：以下、「刊行物３」という。）、特開平４−８２８２０号公報（林の甲第３号証：以下、「刊行物４」という。）、特開昭５２−１５６９３８号公報（ライオン株式会社の甲第２号証：以下、「刊行物５」という。）、「最新洗浄剤処方集」（第３集）［平成７年（１９９５年）１０月１日発行］（千葉の甲第１号証：以下、「刊行物６」という。）、及び特開平３−４８６０７号公報（千葉の甲第３号証：以下、「刊行物７」という。）に記載された発明であるから、特許法第２９条第１項第３号に規定する発明に該当し、本件請求項１に係る発明についての特許を取り消すべきである。
ｂ．理由２
　本件請求項１に係る発明は、先願である特願平５−２１４５５号（特開平６−２３４６１８号公報）（林及び千葉の甲第４号証）の発明と同一であるから、特許法第２９条の２の規定により特許を受けられないものであり、取り消すべきである。
ｃ．理由３
　本件請求項１及び２に係る発明は、（ア）特開平５−４３４２７号公報（刊行物２）、特開昭５９−１７６２０４号公報（ライオン株式会社の甲第３号証：以下、「刊行物８」という。）に記載された発明に基づいて、或いは特開平５−４３４２７号公報（刊行物２）、特開昭５９−１７６２０４号公報（刊行物８）、「特許庁公報、５９（１９８４）−１８４［３８８０］周知・慣用技術集（化粧品及び類似品）、昭和５９（１９８４）．８．２１」（ライオン株式会社の甲第４号証：以下、「刊行物９」という。）に記載された発明に基づいて、又は（イ）特開昭５６−１６４０６号公報（千葉の甲第５号証：以下、「刊行物１０」という。）に記載された発明に基づいて当業者が容易に発明し得たものであるから、特許法第２９条第２項に該当するので、本件請求項１及び２に係る発明についての特許を取り消すべきである。
ｄ．理由４
　請求項１に係る発明において、（Ａ）成分として「酸性アミノ酸」が記載されているが、発明の詳細な説明の記載からは、酸性アミノ酸を用いたときに本件特許発明の所期の効果を発揮しうるか否か明らかではないから、本件明細書の記載は特許法第３６条第４項に規定する要件を満たしていない。
　
　なお、各申立人が提出した証拠は次のとおりである。
申立人ホーユー株式会社提出：
甲第１号証：Cosmetics＆Toiletries　Vol.１０３　March　l９８８、１０２頁及び１１４頁
甲第２号証：CTFA  International  Cosmetic  Ingredient  Dictionary  Fourth  Edition、１９９１，第４６２−４６３頁及び第５１３頁
　
申立人林純提出：
甲第１号証：特開平５−４３４２７号公報
甲第２号証：特開平２−１８０９１１号公報
甲第３号証：特開平４−８２８２０号公報
甲第４号証：特願平５−２１４５５号（特開平６−２３４６１８号公報）
　
申立人ライオン株式会社提出：
甲第１号証：特開平５−４３４２７号公報
甲第２号証：特開昭５２−１５６９３８号公報
甲第３号証：特開昭５９−１７６２０４号公報
甲第４号証：特許庁公報、５９（１９８４）−１８４［３８８０］周知・慣用技術集（化粧品及び類似品）第７１頁及び第９６頁、昭和５９（１９８４）．８．２１
　
申立人千葉恭弘提出：
甲第１号証：「最新洗浄剤処方集」（第３集）平成７年（１９９５年）１０月１日発行、第１８２〜１８３頁及び第１９０頁
甲第２号証：特開平５−４３４２７号公報
甲第３号証：特開平３−４８６０７号公報
甲第４号証：特願平５−２１４５５号（特開平６−２３４６１８号公報）
甲第５号証：特開昭５６−１６４０６号公報
　
（２）訂正明細書の請求項１及び２に係る発明
　本件特許明細書は、上記訂正請求が認められるものであるから、その請求項１及び２に係る発明（以下、それぞれ、本件発明１及び２という。）は、次のとおりのものである。
「【請求項１】（A）ピロリドンカルボン酸、プロリンよりなる群から選ばれる１種または２種および（B）カチオン性重合体の１種または２種以上を含有し、（A）：（B）の比率が１：１０〜１０：１（重量比）であり、（A）（B）の配合量の合計が０．１〜１０重量％であることを特徴とする毛髪化粧料。
【請求項２】（A）成分がピロリドンカルボン酸である請求項１記載の毛髪化粧料。」
　
（３）判断
〈請求項１に係る発明について〉
ａ．理由１について
　刊行物１の第１０２頁にはプロテインローションコンディショナーが、また、第１１４頁にはモイスチャライジングシャンプーが記載されており、これらには乳酸とクォータニウム−７９加水分解動物蛋白質あるいはポリクォータニウム−１１が配合されている。
　刊行物２には、「（a）両性界面活性剤、（b）カチオン化ポリマー、（c）油剤、（d）有機酸及び／又は無機酸、を含有し、組成物全体のpHが５以下であることを特徴とするアフターシャンプー用乳化毛髪化粧料。」（請求項１）について記載されており、具体的には上記（ｄ）成分として乳酸を含有する化粧料が、実施例６及び８に記載されている。
　刊行物３には、実施例１２において、乳酸と本件発明の（B）成分に相当する合成例２の共重合体を含有するシャンプーが記載されている。
　刊行物４には、実施例１において、乳酸と本件発明の（B）成分のカチオン性重合体に相当する「合成例１で得た共重合体」を含有するヘアスプレー用組成物が記載されている。
　刊行物５には、「皮膜形成樹脂としてキトサンの水溶性塩と必要に応じて通常の添加物とを含むことを特徴とする皮膜形成樹脂の水溶液あるいは水性アルコール溶液からなる髪型の固定剤。」（特許請求の範囲（１））が記載されており、又、発明の詳細な説明には、「キトサン塩は陽イオン性樹脂の性質をもっている」（公報第２頁左上欄２〜３行）旨記載されると共に、実施例〔３〕に、キトサンと乳酸を含有する髪型の固定剤が記載されている。
　刊行物６には、乳酸及びカチオン性重合体の「Polyquaternium−１０」を配合した、毛髪化粧料の多相シャンプー／ヘアコンディショナーが記載されている。（第１８２頁下から９行目〜第１８３頁１５頁）
　刊行物７には、本件発明の（B）成分のカチオン性重合体であり得る状態調節剤と、（A）成分の乳酸であり得る補酸性緩衝剤が配合され得る、水性ヘアコンディショニング組成物が記載されている（特許請求の範囲（１）及び（４））。
　そこで、本件発明と上記刊行物１〜７に記載の発明を対比すると、上記１及び３〜７の各刊行物には乳酸を含有する毛髪化粧料が記載されているが、上記訂正により、本件発明は「（A）ピロリドンカルボン酸、プロリンよりなる群から選ばれる１種または２種」を含むものに限定され、乳酸は含まれないものとなったので、本件発明が刊行物１及び３〜７に記載された発明とはいえない。また、刊行物２には、「（a）両性界面活性剤、（b）カチオン化ポリマー、（c）油剤、（d）有機酸及び／又は無機酸を含有する毛髪化粧料」が記載されており、有機酸として「クエン酸、乳酸、リン酸等」が挙げられており（公報第７頁１１欄１行）、また、実施例では、クエン酸及び乳酸が使用されている。しかしながら、本件発明で使用される「ピロリドンカルボン酸、プロリンよりなる群から選ばれる１種または２種」を使用することについては何も記載されておらず、また、本件発明は、かかる化合物を選択することにより両面活性剤等を使用しなくとも、毛髪の保水性を向上させてなめらかな感触を付与し得たものであるから、本件発明が刊行物２に記載された発明であるということはできない。
ｂ．理由２について
　先願（特願平５−２１４５５号）明細書の請求項１には、「（a）両性界面活性剤、（b）カチオン化ポリマー、（c）油剤、（d）殺菌剤、（e）有機酸又は無機酸を含有し、組成物全体のpHが５以下であることを特徴とするアフターシャンプー用乳化頭皮・毛髪化粧料。」について記載され、その実施例５には、「カチオン化ポリマー（カチセロH−８０）及び乳酸」を含有するアフターシャンプー用乳化頭皮・毛髪化粧料が記載されている。
　しかしながら、上記先願明細書には、「（ｅ）成分の有機酸又は無機酸としては、クエン酸、乳酸、リン酸等の有機酸又は塩酸等の無機酸が用いられる。」（段落【００５７】）と記載されているだけであり、また、実施例ではクエン酸及び乳酸が使用されているのみであって、本件発明の「（A）ピロリドンカルボン酸、プロリンよりなる群から選ばれる１種または２種」という特定の酸については何も記載されていないから、本件発明は先願に記載された発明とはいえない。
ｃ．理由３について
　申立人ライオン株式会社は、刊行物２には、カチオン化ポリマーとして、本件明細書に例示されたカチオン性重合体と同一の化合物が挙げられており、また、カチオン性重合体及びグリセリン又はプロピレングリコールを含有するヘアコンディショナー、ヘアリンス剤が記載されており、さらに、刊行物８には、保湿剤（グリセリン）とカチオン性重合体を有する頭髪用化粧料が記載されているところ、刊行物９には、グリセリン，プロピレングリコール，２−ピロリドン−５−カルボン酸ナトリウム等の保湿剤はシャンプー（毛髪化粧料）のコンディショニング剤であることも記載されているから、刊行物２及び刊行物８に記載のカチオン性重合体及びグリセリン又はプロピレングリコールを含有する毛髪化粧料において、保湿剤であるグリセリン又はプロピレングリコールに代えてこれらと同様に保湿剤として汎用されている２−ピロリドン−５−カルボン酸ナトリウムを使用することは、当業者が容易に想到し得ることであると主張している。
　しかしながら、本件明細書の実施例６及び比較例５の記載によれば、カチオン性重合体であるポリエチレンイミンとピロリドンカルボン酸を含有させたものは所期の目的、効果を達成し得るのに対して、ピロリドンカルボン酸ナトリウム塩を含有させたものは、塗布時及びすすぎ後のしっとり感やすすぎ後のしなやかさが感じられず、そのため、その総合評価は「×」であることが記載されている。即ち、刊行物９に列記されているような２−ピロリドン−５−カルボン酸ナトリウムによっては所期の目的を達成することができず、本件発明の特定の化合物を含有させることにより始めて所期の目的を達成し得たことが明らかであるから、本件発明において、グリセリン又はプロピレングリコールに代えて、ピロリドンカルボン酸およびプロリンという特定の化合物をカチオン性重合体に配合させることが、当業者が容易になし得たとはいうことはできない。
　申立人千葉は、刊行物１０には、特定のカチオン化水溶性高分子化合物と特定の非イオン界面活性剤を含有するへアリンス組成物が記載されており、また、その実施例１には、カチオン化高分子であるカチオン化ヒドロキシエチルセルロースにＰＣＡトリエタノールアミン（ピロリドンカルボン酸トリエタノールアミン）が含有されたヘアリンスが記載されており、得られたヘアリンス組成物は、優れた毛髪保護性を有し、毛髪のしなやかさ、くし通し、つや出し効果、柔軟性付与効果に優れる旨が記載されているから、当業者がカチオン性高分子とピロリドンカルボン酸類を組み合わせることによって、毛髪に対し適度な水分を保持させ、なめらかな感触を付与するという本件特許発明の毛髪化粧料に想到する動機は十分に存在すると主張している。
　しかしながら、上記したとおり、本件発明はピロリドンカルボン酸ナトリウムによっては所期の目的を達成することはできず、ピロリドンカルボン酸又はプロリンという特定の化合物をカチオン性重合体とともに含有させて始めて所期の目的を達成し得たものであるから、刊行物１０に記載された「第４級窒素基にてカチオン化された水溶性化合物と分子中にアミド基を有する非イオン性界面活性剤を含有することを特徴とするヘアリンス組成物」（特許請求の範囲（１））なる発明に基づいて本件発明を当業者が容易になし得たということはできない。
ｄ．理由４について
　請求項１に係る発明において、（Ａ）成分として記載されていた「酸性アミノ酸」は同項から削除されたから、この点に関する記載不備は解消された。
　
〈請求項２に係る発明について〉
　請求項２に係る発明は請求項１に係る発明における（Ａ）成分をピロリドンカルボン酸に限定したものであるが、請求項１に係る発明が上記のとおり特許し得るものであるから、請求項２に係る発明も特許し得るものであることは明らかである。
　
４．むすび
　以上のとおりであるから、特許異議申立の理由及び証拠によっては本件請求項１及び２に係る発明の特許を取り消すことはできない。
　また、他に本件請求項１及び２に係る特許を取り消すべき理由を発見しない。
　よって、結論のとおり決定する。
【異議決定日】
平成１６年１月２１日（２００４．１．２１）
【訂正の要旨】
審決（決定）の【理由】欄参照。
（５４）【発明の名称】
毛髪化粧料
（５７）【特許請求の範囲】
　【請求項１】　（Ａ）ピロリドンカルボン酸、プロリンよりなる群から選ばれる１種または２種および（Ｂ）カチオン性重合体の１種または２種以上を含有し、（Ａ）：（Ｂ）の比率が１：１０〜１０：１（重量比）であり、（Ａ）（Ｂ）の配合量の合計が０．１〜１０重量％であることを特徴とする毛髪化粧料。
　【請求項２】　（Ａ）成分がピロリドンカルボン酸である請求項１記載の毛髪化粧料。
【発明の詳細な説明】
　【０００１】
　【産業上の利用分野】
　本発明は、毛髪に対し適度な水分を保持し、なめらかな感触を付与する毛髪化粧料に関する。
　【０００２】
　【従来の技術および課題】
　毛髪水分は毛髪保護の観点から重要であり、毛髪に適度な水分を付与する試みが種々なされている。例えばヘアトリートメント、ヘアリンスなどの毛髪用化粧料には、ピロリドンカルボン酸塩、グリセリンなどの多価アルコール、ヒアルロン酸、蛋白質誘導体、尿素などの保湿成分が配合されたり、高級アルコール、ワセリン、動植物性油脂などの油分が配合されたりするが、油分によって毛髪に水分を高めようとすると使用感など不都合を生じる場合がある。
　【０００３】
　保湿剤について検討もなされており、例えば　特開昭５５ー１４９３６９号公報にはプロリンと２ーピロリドンー５ーカルボン酸の湿潤剤組成物が、優れた保湿効果を発揮することが開示され、さらに特開昭５６ー７１０２０号公報には２ーピロリドンー５ーカルボン酸塩基性アミノ酸が保湿性を高める目的で化粧料に配合できることが開示されている。しかし、本来、保湿性成分は毛髪への親和性に乏しく、特にヘアリンスなど洗い流して使う製剤では、ほとんどその効果が期待できない。そのため、洗い流したとしても毛髪に適度な水分を保持し、なめらかな優れた感触を付与する毛髪化粧料の開発が望まれている。このような事情を鑑み、本発明では毛髪化粧料にあって、洗い流したとしても毛髪に適度な水分を保持し、且つ感触に優れた毛髪化粧料の提供を目的とする。
　【０００４】
　【課題を解決するための手段】
　本発明者は、鋭意検討した結果、ピロリドンカルボン酸、プロリンよりなる群から選ばれる１種または２種とカチオン性重合体の１種または２種以上を組合せて配合することにより、相乗的に毛髪の水分を補い（吸湿性）、水分保持する効果（保水性）があることを見出し本発明を完成するに至った。
　【０００５】
　すなわち、本発明はピロリドンカルボン酸、プロリンよりなる群から選ばれる１種または２種とカチオン性重合体の１種または２種以上を組合せて配合してなる毛髪に適度な水分を付与する感触に優れた毛髪化粧料に関する。
　【０００６】
　以下に、本発明を詳しく説明する。本発明は（Ａ）ピロリドンカルボン酸、プロリンよりなる群から選ばれる１種または２種と（Ｂ）カチオン性重合体の１種または２種以上を含有し、（Ａ）：（Ｂ）の比率が１：１０〜１０：１であり、（Ａ）（Ｂ）の配合量が合計０．１〜１０％であることを特徴とする毛髪化粧料であり、本発明に用いられる（Ａ）成分はピロリドンカルボン酸、プロリンである。これらはいずれも公知の成分で商業的に入手できる。
　【０００７】
　本発明の毛髪化粧料に用いるカチオン性重合体の代表的なものとしてはポリエチレンイミン（エポミン　ＳＰー００６、エポミン　Ｐー１０００：日本触媒製）、カチオン化セルロース誘導体（カチナール　ＨＣー１００：東邦化学製）、カチオン化多糖類誘導体（ラボールガムＣＧーＭ：大日本製薬製）、カチオン化プロテイン誘導体（プロモイス　Ｗー４２ＱＰ：成和化成製）、ポリエチレングリコール／エピクロルヒドリン／プロピレンアミン／牛脂脂肪酸の縮合生成物（ポリコートＨ：ヘンケル製）、ジメチルジアリルアンモニウムクロリド重合体（マーコート１００：メルク製）、ジメチルジアリルアンモニウムクロライド／アクリルアミド共重合体（マーコート５５０：メルク製）、ビニルピロリドン／ジメチルアミノエチルメタクリレート共重合体カチオン化物（ガフコート７５５、ガフコート７３４：ＩＳＰ製）などが挙げられる。
　【０００８】
　これらカチオン性重合体は単独でも２種以上を併用してもよく、中でもポリエチレンイミンが好ましく、特に分子量が、３００〜２０００のポリエチレンイミンが好ましい。
　【０００９】
　また、（Ａ）（Ｂ）の比率（重量比）は１：１０〜１０：１の範囲で配合され、特に、１：３〜５：１の範囲が好ましい。カチオン性重合体（Ｂ）に対する（Ａ）が１：１０〜１０：１の範囲をはずれると、毛髪にしっとり感が十分付与されない。又、（Ａ）（Ｂ）の配合量の合計は０．１重量％〜１０重量％、特に１重量％〜５重量％の範囲が好ましい。０．１重量％に満たないと、しっとり感付与効果が十分でなく１０重量％を越えると、べたついた感触を与える。
　【００１０】
　本発明の毛髪化粧料の形態は、特に限られることはなく、ヘアリンス、乳液、ブロー剤、ヘアトリートメント、ヘアムース、ヘアエッセンスなどの形態とすることができる。また、他の配合成分は特に限定されるものでなく、通常この種の化粧料に配合されるものが用いられる。また、要すれば、本発明の毛髪化粧料には、その性能を損なわない範囲で周知の成分が適宜配合でき、その例として、油分、着色料、乳化剤、香料、水、エタノール等の溶剤、カチオン活性剤のごとき帯電防止剤、液化石油ガス、ジメチルエーテルなどの噴射剤等が挙げられる。
　【００１１】
　【実施例】
　次に実施例および比較例を挙げて、本発明をさらに詳しく説明する。言うまでもなく本発明はこれら実施例に限られるものではない。なお、実施例、比較例中の［％］は、いずれも重量％を意味する。
表１に示す成分を混合攪拌し毛髪化粧料を得た。次いで、これらを用いて以下の如く評価した。
　【００１２】
（評価方法）
（１）保水性
　表１に示すポリエチレンイミン・ピロリドンカルボン酸混合水溶液の各々約１０ｇを精秤（Ｗａ）し、８０℃の条件下に５時間おいた後の重量（Ｗｂ）を測定し、保水性変化を求めた。なお、対照には各々の濃度に対応するポリエチレンイミン水溶液を用い、同じ条件で保水性変化を求めた。保水性（％）の算出式を式（Ｉ）に示す。
　【００１３】
　【数１】
　【００１４】
（２）吸湿性
　保水性を求めた後、引き続いて２０℃、相対湿度８０％の条件下に７時間おき、重量（Ｗｃ）を測定して、吸湿量変化を求めた。なお、対照も同様にして吸湿性を求めた。吸湿性（％）の算出式を式（ＩＩ）に示す。
　【００１５】
　【数２】
　【００１６】
　表１に示すように、明らかに相乗的な保水性および吸湿性の向上が認められる。
　【００１７】
　【表１】
　【００１８】
　次に、表２に示す実施例６〜１１、比較例５〜１０を常法にて調製し、性能評価に用いた。性能評価方法は次の通りである。
（３）性能評価
▲１▼塗布時のしっとり感
　専門パネラー（２０代女性）５名による官能評価
　　○：「しっとり感がある」と判定した専門パネラーの４名以上
　　×：「しっとり感がある」と判定した専門パネラーが４名未満
▲２▼すすぎ後のしっとり感
　専門パネラー（２０代女性）５名による官能評価
　　○：「しっとり感がある」と判定した専門パネラーが４名以上
　　×：「しっとり感がある」と判定専門したパネラーが４名未満
▲３▼すすぎ後のしなやかさ
　専門パネラー（２０代女性）５名のによる官能評価
　　○：「しなやかさがある」と判定した専門パネラーが４名以上
　　×：「しなやかさがある」と判定した専門パネラーが４名未満
▲４▼総合評価
　　○：塗布時、すすぎ後のしっとり感があり、すすぎ後しなやかである
　　×：塗布時またはすすぎ後にしっとり感がない、または、すすぎ後しなやかさがない
　【００１９】
　【表２】
　表２に示すように、いずれの実施例も、比較例に比べて毛髪にしっとり感を付与し、且つしなやかに仕上げる効果に優れている。
　【００２０】
　さらに、以下の実施例を調製した。
実施例１７　（乳液）
　　　　　　　成分　　　　　　　　　　　　　　　　　配合量（％）
　　　（成分Ａ）
　　ピロリドンカルボン酸　　　　　　　　　　　　　　　２．０
　　ポリエチレンイミン（分子量：３００）　　　　　　　２．０
　　１、３ーブチレングリコール　　　　　　　　　　　　１．０
　　ポリオキシエチレン（５）セチルエーテル　　　　　　１．２
　　カルボキシビニルポリマー　　　　　　　　　　　　　０．１
　　水　　　　　　　　　　　　　　　　　　　　　　　　　残量
　　　（成分Ｂ）
　　流動パラフィン　　　　　　　　　　　　　　　　　　２．０
　　　（成分Ｃ）
　　トリエタノールアミン　　　　　　　　　　　　　　　０．１
　　　　　合計　　　　　　　　　　　　　　　　　　１００．０
　６０℃に加熱した成分Ａに６０℃に加熱した成分Ｂを加え攪拌混合した。次いで冷却しながら成分Ｃを加えた。
　【００２１】
実施例１２　（ヘアブロー剤）
　　　　　　　成分　　　　　　　　　　　　　　　　　配合量（％）
　　乳酸　　　　　　　　　　　　　　　　　　　　　　　１．０
　　カチオン化プロテイン　　　　　　　　　　　　　　　１．０
　　ポリオキシエチレン（６０）硬化ヒマシ油　　　　　　０．５
　　香料　　　　　　　　　　　　　　　　　　　　　　　０．１
　　９５％エタノール　　　　　　　　　　　　　　　　１０．０
　　水　　　　　　　　　　　　　　　　　　　　　　　　　残量
　　　合計　　　　　　　　　　　　　　　　　　　　１００．０
　上記成分を順次加え、攪拌溶解した
　【００２２】
実施例１３（ヘアトリートメント）
　　　　　　　成分　　　　　　　　　　　　　　　　　配合量（％）
　　　（成分Ａ）
　　塩化ステアリルトリメチルアンモニウム　　　　　　　３．０
　　セチルアルコール　　　　　　　　　　　　　　　　　３．０
　　メチルポリシロキサン　　　　　　　　　　　　　　　３．０
　　　（成分Ｂ）
　　プロリン　　　　　　　　　　　　　　　　　　　　　４．０
　　プロピレングリコール　　　　　　　　　　　　　　　５．０
　　防腐剤　　　　　　　　　　　　　　　　　　　　　　微量
　　カチオン化グアガム　　　　　　　　　　　　　　　　２．０
　　水　　　　　　　　　　　　　　　　　　　　　　　　残量
　　　（成分Ｃ）
　　香料　　　　　　　　　　　　　　　　　　　　　　　０．１
　　　合計　　　　　　　　　　　　　　　　　　　　１００．０
　成分Ｂを混合して８０℃に保ち、これに別に成分Ａを混合して８０℃に保った物を加えた。攪拌しながら成分Ｃを添加してヘアトリートメントを製造した。
　【００２３】
実施例１４（ヘアムース）
　　　　　　　成分　　　　　　　　　　　　　　　　　配合量（％）
　　　（成分Ａ）
　　ピロリドンカルボン酸　　　　　　　　　　　　　　　１．０
　　ポリエチレンイミン（分子量７００００）　　　　　　０．５
　　ポリエーテル変性シリコーン　　　　　　　　　　　　０．５
　　ハマメリス抽出液　　　　　　　　　　　　　　　　　０．１
　　水　　　　　　　　　　　　　　　　　　　　　　　　残量
　　　（成分Ｂ）
　　９５％エタノール　　　　　　　　　　　　　　　　　５．０
　　香料　　　　　　　　　　　　　　　　　　　　　　　０．１
　成分Ａを常温にて均一に攪拌混合した後成分Ｂを加えて、原液を調整した。この原液９０部と噴射剤（液化石油ガス）１０部をエアゾール容器に充填して、ヘアムースを製造した。
　【００２４】
　【発明の効果】
　本発明によれば、ピロリドンカルボン酸などとカチオン性重合体とを用いると、相乗的に毛髪の保水性、吸湿性が向上して、毛髪に適度な水分を保持し、なめらかな感触を付与することのできる優れた毛髪化粧用組成物を提供できる。
　【表１】
　【表１】